(57)【要約】【課題】  鏡を前後方向への移動は勿論のこと正面視で３６０度の全方位に傾動できて、その使い勝手の向上を図ることが可能な鏡支持構造を提供する。【解決手段】  一端部が関節により互いに回動自在に連結された第１アーム及び第２アームと、該第１アームの他端部を支持する支持部材と、前記第２アームの他端部に球軸受け等の全方位傾動手段を介して連結された鏡と、を備え、前記鏡は、第１アームと第２アームの回動動作により前後方向に移動し得ると共に、前記全方位傾動手段により正面視で３６０度の全方位に傾動し得ることを特徴とする。また、第１アームと第２アームの少なくとも一方に小物入れが設けられる。【選択図】  図２
2006340821.tif 000002
【特許請求の範囲】
【請求項１】
一端部が関節により互いに回動自在に連結された第１アーム及び第２アームと、該第１アームの他端部を支持する支持部材と、前記第２アームの他端部に全方位傾動手段を介して連結された鏡と、を備え、
前記鏡は、第１アームと第２アームの回動動作により前後方向に移動し得ると共に、前記全方位傾動手段により正面視で３６０度の全方位に傾動し得ることを特徴とする鏡支持構造。
【請求項２】
前記第１アームの他端部が関節により支持部材に回動自在に支持されると共に、前記第２アームの他端部が関節を介して前記全方位傾動手段としての球軸受けに連結されていることを特徴とする請求項１に記載の鏡支持構造。
【請求項３】
前記第１アームと第２アームの少なくとも一方に小物入れが設けられていることを特徴とする請求項１または２に記載の鏡支持構造。
【請求項４】
前記全方位傾動手段に荷重調整機構が設けられていることを特徴とする請求項１ないし３のいずれかに記載の鏡支持構造。
【請求項５】
前記支持部材が、洗面化粧台のミラーキャビネットの背面板であるかもしくは衛生設備室の壁面であることを特徴とする請求項１ないし４のいずれかに記載の鏡支持構造。
【発明の詳細な説明】
【技術分野】
【０００１】
本発明は、洗面化粧台のミラーキャビネット等に鏡を取り付けるための鏡支持構造に関する。
【背景技術】
【０００２】
従来、洗面化粧台のミラーキャビネットには、その前面に鏡が取り付けられており、この鏡の支持構造としては、例えば特許文献１に開示されている。この鏡支持構造は、前面板により鏡を垂直状態で支持すると共に、前面板と背面板とをパンタグラフの２本の交差したロッドで連結することにより鏡を前後移動可能とし、前面板の側板に設けた把手によって鏡を引き出し式に構成したものである。
【特許文献１】特開２０００−２５４０２１号公報
【発明の開示】
【発明が解決しようとする課題】
【０００３】
しかしながら、このような鏡支持構造においては、鏡を支持する前面板がパンタグラフの伸縮動作によって前方に引き出しでき、鏡を洗面化粧台の使用者に近づけることができるものの、前面板に対して垂直状態で支持された鏡が垂直状態を維持したまま単に前方に移動するのみであるため、鏡の角度を使用者の使用状況に応じて例えば左右方向や上下方向等に傾けることができず、鏡の最適角度位置での使用が困難でその使い勝手が劣ることになる。
【０００４】
本発明は、このような事情に鑑みてなされたもので、その目的は、鏡を前後方向への移動は勿論のこと正面視で３６０度の全方位に傾動できて、その使い勝手の向上を図ることが可能な鏡支持構造を提供することにある。
【課題を解決するための手段】
【０００５】
かかる目的を達成すべく、本発明のうち請求項１に記載の発明は、一端部が関節により互いに回動自在に連結された第１アーム及び第２アームと、該第１アームの他端部を支持する支持部材と、前記第２アームの他端部に全方位傾動手段を介して連結された鏡と、を備え、前記鏡は、第１アームと第２アームの回動動作により前後方向に移動し得ると共に、前記全方位傾動手段により正面視で３６０度の全方位に傾動し得ることを特徴とする。
【０００６】
また、請求項２に記載の発明は、前記第１アームの他端部が関節により支持部材に回動自在に支持されると共に、前記第２アームの他端部が関節を介して前記全方位傾動手段としての球軸受けに連結されていることを特徴とする。また、請求項３に記載の発明は、前記第１アームと第２アームの少なくとも一方に小物入れが設けられていることを特徴とし、請求項４に記載の発明は、前記全方位傾動手段に荷重調整機構が設けられていることを特徴とする。さらに、請求項５に記載の発明は、前記支持部材が、洗面化粧台のミラーキャビネットの背面板であるかもしくは衛生設備室の壁面であることを特徴とする。
【発明の効果】
【０００７】
本発明のうち請求項１に記載の発明によれば、第２アームの他端部に全方位傾動手段を介して連結された鏡が、関節で回動自在に連結された第１アームと第２アームの回動動作により前後方向に移動すると共に、全方位傾動手段により正面視で３６０度の全方位に傾動するため、キャビネットの背面板や壁面等の支持部材に対して、鏡を前後方向に移動して使用者に近づけることができると共に、前方に移動した鏡を全方位に傾動させて所望方向に傾けて使用でき、鏡を使用者の使用状態に応じた最適角度位置に容易に設定できて、その使い勝手の向上を図ることができる。
【０００８】
また、請求項２に記載の発明によれば、請求項１に記載の発明の効果に加え、第１アームの他端部が関節により支持部材に回動自在に支持されると共に、第２アームの他端部が関節を介して球軸受けに連結されているため、第１アームと第２アームの回動範囲を拡げることができると共に、第２アームに対して球軸受け自体も回動でき、鏡の前後移動範囲や傾動範囲を拡大して、その使い勝手の一層の向上を図ることができる。
【０００９】
また、請求項３に記載の発明によれば、請求項１または２に記載の発明の効果に加え、第１アームと第２アームの少なくとも一方に小物入れが設けられているため、例えば両アームの格納状態において小物入れに小物を収納できて、両アームやアームの格納空間の有効利用を図ることができる。
【００１０】
また、請求項４に記載の発明によれば、請求項１ないし３に記載の発明の効果に加え、全方位傾動手段に荷重調整機構が設けられているため、荷重調整機構により球軸受け等の全方位傾動手段を所定角度位置に保持できて、鏡をセット（使用）位置に安定支持することができる。
【００１１】
さらに、請求項５に記載の発明によれば、請求項１ないし４に記載の発明の効果に加え、支持部材が、洗面化粧台のミラーキャビネットの背面板や衛生設備室の壁面であるため、前後方向に移動可能で全方位に傾動可能な鏡を、洗面化粧台のミラーキャビネット内に配置したり洗面室ユニットの壁面等に直接配置できて、設置の汎用性が向上し各種の使用形態に的確に対応することができる。
【発明を実施するための最良の形態】
【００１２】
以下、本発明の実施の形態を図面に基づいて詳細に説明する。
図１〜図６は、本発明に係わる鏡支持構造の一実施形態を示し、図１が該鏡支持構造を採用した洗面化粧台の斜視図、図２がそのミラーキャビネットの要部の斜視図、図３が支持機構の斜視図、図４が球軸受け部分の縦断面図、図５及び図６が動作説明図である。
【００１３】
図１に示すように、洗面化粧台１は、上面開口部にボール４や水栓５が取り付けられたカウンター６が配置されると共に、ボール４下方に引き出し７や収納扉８が設けられたベースキャビネット２と、このベースキャビネット２の後方上部に組み付け配置されたミラーキャビネット３等を備えている。前記ミラーキャビネット３は、その前面に左右方向に３枚の鏡９ａ〜９ｃが取り付けられると共に、前面上部には照明器具１０が取り付けられている。
【００１４】
そして、このミラーキャビネット３の３枚の鏡９ａ〜９ｃは、それぞれ縦長の長方形状に形成されて、例えば中央の鏡９ｂが両側の鏡９ａ、９ｃより若干大きく設定されると共に、左右の鏡９ａ、９ｃの裏面側には、上下方向に複数段の棚を有する収納部（図示せず）が設けられている。この左右の鏡９ａ、９ｃは、幅方向の内側に設けた図示しないヒンジにより、ミラーキャビネット３に対して幅方向の外側部分が内側方向に向けて開放され、収納部の前面開口部（図示せず）を閉塞する閉塞位置と前面開口部を開放し、三面鏡として機能する開放位置とに設定可能に構成されている。
【００１５】
また、中央の鏡９ｂは、支持機構１１により二点鎖線で示すように前方に移動可能で、かつ左右方向や上下方向等の全方位に傾動可能に構成されている。すなわち、前記支持機構１１は、図２及び図３に示すように、第１〜第３の３つの関節１２ａ〜１２ｃを有し、第２の関節１２ｂによってそれぞれ板状の第１アーム１３と第２アーム１４の一端部が回動自在に連結されると共に、第１アーム１３の他端部に第１の関節１２ａが連結され、第２アーム１４の他端部に第３の関節１２ｃが連結されている。
【００１６】
また、第１の関節１２ａには、取付プレート１５の中央部に固定された支持板１７が連結され、第３の関節１２ｃには、全方位傾動手段としての球軸受け１８が連結されている。この球軸受け１８は、例えば図４に示すように、前記第３の関節１２ｃに固定された台座１９と、この台座１９の球状凹部１９ａ内に旋回可能に嵌め込まれた球体２０と、この球体２０を球状凹部１９ａに固定するための荷重調整棒２１（荷重調整機構）等を備え、球体２０の支持部２０ａには支持板２２が固定され、この支持板２２には取付プレート１６がネジ等によって固定されている。そして、この球軸受け１８は、球体２０が台座１９の球状凹部１９ａ内で旋回（回動）することにより、球体２０に連結された支持板２２が台座１９（第３の関節１２ｃ）に対して、図２に示す左右方向イや上下方向ロ等の正面視で３６０度の全方位に傾動するように構成されている。
【００１７】
なお、前記第２アーム１４の前面側には、図２及び図３に示すように、上面が開口した箱状の小物入れ２３が固定的もしくは着脱可能に取り付けられている。また、ミラーキャビネット３の前記鏡９ｂが取り付けられる本体部２４は、図２に示すように、左右の側板２４ａ、天板２４ｂ、底板２４ｃ及び背面板２４ｄ（支持部材）により前面開口部２４ｅを有する箱状に形成されている。この本体部２４の前面開口部２４ｅに取り付けられる鏡９ｂは、例えば図６（ａ）に示すように、その下端部が本体部２４の底板２４ｃの前端より所定寸法ｈ下方に突出して把手部２５を形成するようになっている。
【００１８】
このように構成された支持機構１１は、第１の関節１２ａ側の前記取付プレート１５が、図２に示すように、本体部２４の背面板２４ｄにネジ等により固着され、第３の関節１２ｃ側の取付プレート１６が鏡９ｂの裏面に両面テープ２６（図４参照）等により固着されている。この時、取付プレート１６の鏡９ｂ裏面への固着位置は、正面視で左端部側でかつ上下方向の下端から１／２〜１／３の鏡９ｂの略重心位置高さに設定され、各取付プレート１５、１６や両アーム１３、１４の高さ寸法（幅）も、支持機構１１が本体部２４に安定支持されるように設定されている。
【００１９】
この両取付プレート１５、１６の背面板２４ｄと鏡９ｂ裏面への固定により、鏡９ｂが支持機構１１を介してミラーキャビネット３の本体部２４に取り付けられ、鏡９ｂによって本体部２４の前面開口部２４ｅを閉塞する閉塞位置と、３つの関節１２ａ〜１２ｃによる両アーム１３、１４の回動動作により鏡９ｂを前方に引き出した引き出し位置と、この引き出し位置で球軸受け１８の傾動動作により鏡９ｂを所定方向に傾動させた傾動位置等に設定されるようになっている。以下、この鏡９ｂの各位置への設定動作を図５及び図６等に基づいて説明する。
【００２０】
すなわち、先ず、閉塞位置においては、図５（ａ）及び図６（ａ）に示すように、第１アーム１３と第２アーム１４が各関節１２ａ〜１２ｃにより折り畳まれて、支持機構１１の全体がミラーキャビネット３の本体部２４内に格納された状態となり、本体部２４の前面開口部２４ｅが鏡９ｂによって閉塞されている。また、この時、第２アーム１４の前面側に取り付けた小物入れ２３には、洗面化粧台１において使用される小物が必要に応じて収納されている。
【００２１】
この閉塞位置から、本体部２４の底板２４ｃから下方に突出した鏡９ｂ下端の前記把手部２５に指を掛け、前方に引っ張ると、支持機構１１の第１アーム１３及び第２アーム１４が、図５（ｂ）及び図６（ｂ）に示すように、各関節１２ａ〜１２ｃの回動動作により前方に伸びた状態となる。この両アーム１３、１４の前方への伸びにより、鏡９ｂも一体となって前方の引き出し位置まで引き出されて、鏡９ｂが洗面化粧台１を使用している使用者の顔に近づいた状態となる。なお、この引き出し位置は、図５（ｂ）に示すように鏡９ｂを閉塞位置から本体部２４の前面開口部２４ｅの前方に矢印ハの如くそのまま引き出すこともできるし、図５（ｃ）のように、第１アーム１３と第２アーム１４の角度によって、鏡９ｂを前面開口部２４ｅに対して図の右方向（あるいは左方向）に変位させた（ずらした）状態で引き出すこともできる。
【００２２】
また、この引き出し位置で、鏡９ｂの例えば左端側を後方側に押すか右端側を前方に引っ張ると、鏡９ｂが球軸受け１８を中心に、鏡９ｂの左端側が後方に位置し右端側が前方に位置する左右方向イ（鏡９ｂの幅方向）に傾動して、図５（ｂ）の二点鎖線で示す傾動位置に設定される。さらに、図６（ｂ）に示す引き出し位置から、鏡９ｂの下端部（把手部２５）を後方側に押すと、鏡９ｂが球軸受け１８を中心に傾動して、鏡９ｂの下端部が後方に位置し上端部が前方に位置する上下方向ロ（高さ方向）に傾動した傾動位置に設定される。
【００２３】
そして、この傾動位置や引き出し位置において、前記鏡９ｂの左側方に開放している間隙から手を入れて荷重調整棒２１を締め付け方向に回転操作することにより、球体２０が台座１９の球状凹部１９ａに締め付け固定された状態となり、球体２０の旋回が規制されて鏡９ｂが所定位置に保持され、この状態で鏡９ｂが使用されることになる。なお、第２アーム１４の前面側に取り付けた小物入れ２３に対する小物の出し入れは、鏡９ｂを引き出し位置方向に引き出し、この鏡９ｂを例えば図２に示す位置まで傾動させること等によって行うことができる。
【００２４】
ところで以上の説明においては、鏡９ｂの傾動位置への設定を一旦引き出し位置まで引き出した後に所定方向に傾動させて行ったが、実際の使用においては、引き出しと傾動動作を略同時に（併用して）行うことができる。また、鏡９ｂの傾動方向は、左右方向や上下方向は勿論のこと、球軸受け１８の旋回方向である鏡９ｂを正面視した際の３６０度の全方位に傾動させることができる。つまり、前記洗面化粧台１の場合、支持機構１１により鏡９ｂを引き出し方向は勿論のこと、正面視で３６０度の全方位に傾動させ、荷重調整棒２１の操作により鏡９ｂを所定位置に保持して所望角度に設定できることになる。
【００２５】
このように、上記実施形態の洗面化粧台１にあっては、鏡９ｂが支持機構１１によりミラーキャビネット３の本体部２４の前面開口部２４ｅに対して前後方向に引き出し可能に配置されると共に、支持機構１１の球軸受け１８により全方位に傾動可能に配置されているため、鏡９ｂを引き出して使用者に近づけることができると共に、前方に引き出した鏡９ｂを全方位に所定角度傾動させて所望方向に傾けて使用でき、鏡９ｂを使用者の使用状態に応じた最適角度位置に容易に設定することができて、洗面化粧台１における鏡９ｂの使い勝手の向上を図ることができる。
【００２６】
特に、支持機構１１が、第２の関節１２ｂにより連結された第１アーム１３及び第２アーム１４と、３つの関節１２ａ〜１２ｃ等を有すると共に、第３の関節１２ｃと鏡９ｂとの間に球軸受け１８が配置されているため、３つの関節１２ａ〜１２ｃにより第１アーム１３と第２アーム１４の回動範囲を拡げることができると共に、第２アーム１４に対して球軸受け１８自体も回動できて、鏡９ｂの前後移動範囲や傾動範囲を拡大することができる。また、第１アーム１３と第２アーム１４の角度によって、鏡９ｂの引き出し位置を本体部２４の前面開口部２４ｅの正面前方や該開口部２４ｅから左右方向にずれた位置に引き出すことができ、これらにより、洗面化粧台１における鏡９ｂのセット（使用）位置をより広範囲に設定できて、その使い勝手の一層の向上を図ることができる。
【００２７】
また、球軸受け１８に荷重量調整棒２１が設けられているため、この荷重量調整棒２１により球軸受け１８を所定角度位置に保持できて、鏡９ｂをセット位置に安定支持することができる。また、第１アーム１３と第２アーム１４等の高さ寸法がステー等に比較して大きな（幅広な）寸法に設定されると共に、支持機構１１の取付プレート１６の取付位置が鏡９ｂの高さ方向の略重心位置に設定されているため、両アーム１３、１４によって鏡９ｂを安定支持できると共に、支持機構１１の長期に亘る安定した引き出し動作や傾動動作を得ることができる。
【００２８】
さらに、支持機構１１の第２アーム１４の前面側に箱状の小物入れ２３が設けられているため、例えば支持機構１１の本体部２４内への格納状態において小物入れ２３に小物を収納できて、支持機構１１が格納される本体部２４内の空間や第２アーム１４自体を有効利用することができると共に、鏡９ｂの閉塞位置において支持機構１１が本体部２４の外部に露出することがなくなり、洗面化粧台１の意匠的価値の低下を防ぐこともできる。
【００２９】
また、鏡９ｂの下端部を把手部２５として使用するため、この把手部２５により鏡９ｂの引き出し操作が簡単に行え、操作性に優れた鏡支持構造を得ることができる。またさらに、支持機構１１の取付プレート１５、１６をミラーキャビネット３の本体部２４の背面板２４ｄに内面側から固定することにより対応できるため、例えば既存の洗面化粧台に大きな設計変更をすることなく対応できて、安価な鏡支持構造を提供することが可能となり、各種形態の洗面化粧台１等に好適に適用することができる。
【００３０】
なお、上記実施形態においては、鏡９ｂを支持する支持機構１１の取付プレート１５が、ミラーキャビネット３の本体部２４の背面板２４ｄに固定される場合について説明したが、本発明はこれに限定されず、例えば取付プレート１５を本体部２４の側板２４ａ内面に固定したり、本体部２４が無い場合等には、洗面室の壁面を支持部材としこの壁面に直接固定するようにしても良い。また、上記実施形態においては、全方位傾動手段として球軸受け１８を使用したが、例えば半球軸受けや全方位に旋回できる他の適宜の機構を採用することができる。さらに、上記実施形態においては、鏡９ｂを閉塞位置から引き出す際に使用される把手部２５を鏡９ｂの下端部により形成したが、例えばこの把手部２５に図６（ａ）に二点鎖線で示すように弾性材２７を貼着して指の滑り等を防止して引き出し易くしたり、鏡９ｂの下端部や側端部に専用の把手を設けることもできる。
【００３１】
また、上記実施形態においては、３枚の鏡９ａ〜９ｃを有する洗面化粧台１で中央の鏡９ｂを前後方向移動可能で全方位傾動可能に構成したが、例えば、３枚の鏡９ａ〜９ｃの全てを前後方向移動可能で全方位傾動可能に構成したり、あるいは１枚の鏡を有する洗面化粧台の鏡に本発明を適用する等、各種形態の洗面化粧台の適宜の鏡に適用することができる。またさらに、上記実施形態における、ミラーキャビネット３の本体部２４の構成、荷重調整機構の構成や鏡の形状、支持機構１０の構成等も一例であって、例えば楕円形状の鏡を使用したり、各アーム１３、１４を板状ではなく、複数本のステーで形成する等、本発明に係わる各発明の要旨を逸脱しない範囲において適宜に変更することができる。
【産業上の利用可能性】
【００３２】
本発明は、衛生設備ユニットとしての洗面化粧台の鏡への適用に限らず、例えば洗面室や他の衛生設備ユニット等の各種衛生設備室（衛生設備施設）の鏡にも適用できる。
【図面の簡単な説明】
【００３３】
【図１】本発明に係わる鏡支持構造を適用した洗面化粧台の斜視図
【図２】同そのミラーキャビネットの要部の斜視図
【図３】同支持機構の斜視図
【図４】同その球軸受け部分の縦断面図
【図５】同支持機構の動作を示す平面図
【図６】同その側面図
【符号の説明】
【００３４】
１・・・洗面化粧台、２・・・ベースキャビネット、３・・・ミラーキャビネット、４・・・ボール、６・・・カウンター、１１・・・支持機構、１２ａ〜１２ｃ・・・関節、１３・・・第１アーム、１４・・・第２アーム、１５、１６・・・取付プレート、１８・・・球軸受け、１９・・・台座材、１９ａ・・・球状凹部、２０・・・球体、２１・・・荷重調整棒、２３・・・小物入れ、２４・・・本体部、２４ｄ・・・背面板、２４ｅ・・・前面開口部、２５・・・把手部、２６・・・両面テープ。
【図１】
2006340821.tif 000003
【図２】
2006340821.tif 000004
【図３】
2006340821.tif 000005
【図４】
2006340821.tif 000006
【図５】
2006340821.tif 000007
【図６】
2006340821.tif 000008